(57)【要約】【課題】  マグネット式脱着器具において、永久磁石の磨耗を防止して、永久磁石のめっきが剥がれるのを防止するとともに、永久磁石による吸着力を強めたり弱めたりする操作をより確実に行う。【解決手段】  永久磁石２と、円柱状外面を有し、互いは所定の間隔をあけて永久磁石２の各磁極に面接触状態で固定されている一対の磁性体ブロック７、７と、一対の磁性体ブロック７、７の外面に面接触した状態で、互いは所定の間隔をあけて配置されている一対の外周磁性体１３、１３と、一対の外周磁性体１３、１３が一対の磁性体ブロック７、７を架橋する位置から架橋しなくなる位置まで、永久磁石２および一対の磁性体ブロック７、７と一対の外周磁性体１３、１３とを相対回転させる把手４とを有する。【選択図】      図１
2005240389.tif 000002
【特許請求の範囲】
【請求項１】
永久磁石と、円柱状外面を有し、互いは所定の間隔をあけて前記永久磁石の各磁極に面接触状態で固定されている一対の磁性体ブロックと、前記一対の磁性体ブロックの外面に面接触した状態で、互いは所定の間隔をあけて配置されている一対の外周磁性体と、前記一対の外周磁性体が前記一対の磁性体ブロックを架橋する位置から架橋しなくなる位置まで、前記永久磁石および前記一対の磁性体ブロックと前記一対の外周磁性体とを相対回転させる把手とを有することを特徴とするマグネット式脱着器具。
【発明の詳細な説明】
【技術分野】
【０００１】
本発明はマグネット式脱着器具に関する。
【背景技術】
【０００２】
通常、物品を簡単に止着する部材として、物品の磁性体部分を永久磁石の磁力により吸着させ、この吸着力によって物品を支持するマグネット式止着具や、ドアの開放位置に永久磁石を設置するとともに、ドアに磁性体を設けて、このドアを開放位置において吸着させて支持するドアストッパなどが知られている。
【０００３】
しかし、これら止着具の吸着力は、磁性体に対する永久磁石の磁力のみに頼ったものであるから、あまりに磁力が強すぎると、吸着力向上には都合が良いが、取り外す場合には大きな力を要し、実用上、好適ではない。
【０００４】
一方、磁力を弱くすれば、吸着力そのものが弱くなるので、僅かな外力でも物品の止着状態が解かれてしまい、止着具としての機能が有効に発揮されなくなる。
したがって、これら永久磁石を用いた止着具は、ドアストッパなどのような大型物品や電気スタンドのような確実に支持しなければならないものには、あまり適用性がないという問題があった。
【０００５】
そこで、本願出願人は、強力な吸着力を有するにも拘わらず、取り外すときは吸着力を極端に弱めて簡単に取り外せるようにしたマグネット式脱着器具を提案した(特許文献１)。
【０００６】
このマグネット式脱着器具の一例として説明されているドアストッパは、図１９および図２０に示すように、支持体３と、支持体３に固定されているとともに、円柱状の内面を有する一対の外周磁性体５、５と、外周磁性体５、５の内面に面接触するように構成されている円筒状ケーシング６ａを有する非磁性体製の保持具６と、円筒状ケーシング６ａに収容されているとともに、端面１にＮＳ極があらわれるようにされた円柱状の永久磁石２と、保持具６を介して、永久磁石２を一対の外周磁性体５、５に対して回転させる把手４とを有する。
【０００７】
このような構成によれば、図１９（ａ）に示すように、把手４によって永久磁石２を一対の外周磁性体５、５に対して回転させ、永久磁石２のＮ極Ｓ極を、それぞれの外周磁性体５側に、別々に位置させることにより、Ｎ極から出た磁力線が一方の外周磁性体５、他方の外周磁性体５を介してＳ極に入るようにすることで、吸着力を強くすることができる。また、図１９(ｂ)に示すように、把手４によって永久磁石２を一対の外周磁性体５、５に対して回転させ、外周磁性体５によって永久磁石２のＮ極Ｓ極を架橋させることで、磁力線がそれぞれの外周磁性体５内を通るようにし、外周磁性体５の外部に出る磁力線を減少させて、吸着力を弱めることができる。
【特許文献１】特開２００３−１４８０２９号
【発明の開示】
【発明が解決しようとする課題】
【０００８】
上記のドアストッパにおいて、永久磁石２を把手４により回転自在に支持する構成として、従来では図２０に示すように、一端側に円筒状ケーシング６ａ、他端側に角柱状の支持部６ｂを有する保持具６における角柱状の支持部６ｂを、把手４の基部に形成した嵌合孔４ａに嵌合させていた。
【０００９】
このような構造にするのは、永久磁石２そのものに把手４を取り付けると、図２０において長さＬで示すように、構造上長い磁石が必要となるほか、永久磁石２そのものを外周磁性体５、５に対して接触状態で回転させる必要があるからであり、このように、永久磁石２を外周磁性体５の内面に接触させた状態で回転させると、回転時の摩擦により、永久磁石２のめっきが剥がれてしまうことがある。
【００１０】
このように、永久磁石２のめっきが剥がれてしまうと、永久磁石２に錆が発生することがあり、永久磁石２の磁力の低下を招く恐れがある。
そこで、長さの短い円柱状の永久磁石２を円筒状ケーシング６ａに収容し、この円筒状ケーシング６ａを永久磁石２の保護ケースとして機能させるとともに、他端側の角柱部６ｂを操作端として把手４に係合させることで上記問題の解消を図ることとしたのである。
【００１１】
しかしながら、上記構造のマグネット式ドアストッパは、永久磁石２の周囲を非磁性体の円筒状ケーシング６ａにて囲んでいるので、永久磁石２と外周磁性体５、５との間に、磁力線が漏洩し得る隙間ができることになり、この隙間から磁力線が漏洩すると、図１９（ａ）に示すように、吸着力が強くなるように把手４を操作しても、吸着力が所望の強さまで強くならない。一方、図１９（ｂ）に示すように、吸着力が弱くなるように把手４を操作しても、吸着力が残存し、この残存吸着力に抗してドアの吸着状態を解消するのにある程度の力を要するという問題があった。
【００１２】
これに対し、円筒状ケーシング６ａが永久磁石２の磁力に影響を与えないように、円筒状ケーシング６ａの肉厚をできるだけ薄くすることも行われるが、このような薄いケーシング６ａを、例えば、削り出しなどで精度良く製造するには非常に手間がかかり、また、高価になりすぎるといった問題がある。
【００１３】
そこで本発明はこのような問題を解決し、マグネット式脱着器具において、永久磁石の磨耗を防止して、永久磁石のめっきが剥がれるのを防止するとともに、永久磁石による吸着力を強めたり弱めたりする操作をより確実に行うことを目的とする。
【課題を解決するための手段】
【００１４】
上記課題を解決するため請求項１記載の発明は、永久磁石と、円柱状外面を有し、互いは所定の間隔をあけて前記永久磁石の各磁極に面接触状態で固定されている一対の磁性体ブロックと、前記一対の磁性体ブロックの外面に面接触した状態で、互いは所定の間隔をあけて配置されている一対の外周磁性体と、前記一対の外周磁性体が前記一対の磁性体ブロックを架橋する位置から架橋しなくなる位置まで、前記永久磁石および前記一対の磁性体ブロックと前記一対の外周磁性体とを相対回転させる把手とを有するものである。
【００１５】
このような構成によれば、永久磁石に磁性体ブロックが直接固定され、この磁性体ブロックの外面が外周磁性体の内面と接触しながら相対回転するので、永久磁石の磨耗を防止して永久磁石のめっきが剥がれるのを防止することができるとともに、永久磁石が磁性体ブロックを介して外周磁性体に接触していることで、永久磁石と外周磁性体との間に磁力線が漏洩し得る隙間ができず、永久磁石と外周磁性体とが接触しているのと同等の効果を得ることができるので、吸着力を強めたり弱めたりする操作をより確実に行うことができる。
【発明の効果】
【００１６】
以上のように本発明によれば、永久磁石に磁性体ブロックが直接固定され、この磁性体ブロックの外面が外周磁性体の内面と接触しながら相対回転するので、永久磁石の磨耗を防止して永久磁石のめっきが剥がれるのを防止することができるとともに、永久磁石が磁性体ブロックを介して外周磁性体に接触していることで、永久磁石と外周磁性体との間に磁力線が漏洩し得る隙間ができず、永久磁石と外周磁性体とが接触しているのと同等の効果を得ることができるので、吸着力を強めたり弱めたりする操作をより確実に行うことができる。
【発明を実施するための最良の形態】
【００１７】
本発明のマグネット式脱着器具の実施の形態の一例として、マグネット式ドアストッパを説明する。図１はドアストッパの分解斜視図、図２は組立状態を示す側面図、図３は図２のＡ−Ａ線矢視断面図、図４は図３のＢ−Ｂ線矢視部分断面図、図５は図３のＣ−Ｃ線矢視断面図を示す。なお、図１９および図２０で説明したものと同様のものには、同じ符号を付すことでその詳細な説明を省略する。
【００１８】
本実施の形態のマグネット式ドアストッパは、図１〜図５に示すように、端面２１にＮＳ極があらわれるようにされた角柱状の永久磁石２と、図３に仮想線で示す円８の一部をなす円柱状の外面を有し、互いは所定の間隔をあけて永久磁石２の各磁極の側面２Ｎおよび２Ｓに面接触状態で固定されている一対の磁性体ブロック７、７と、この磁性体ブロック７、７の外面７ｂ、７ｂに面接触した状態で、互いは所定の間隔をあけて配置されている一対の外周磁性体１３、１３と、外周磁性体１３、１３および後述する把手４を支持する支持体３と、永久磁石２および磁性体ブロック７、７を支持するとともに、支持体３に回動可能に支持され、永久磁石２および磁性体ブロック７、７を外周磁性体１３、１３に対して回転させる非磁性体製の把手４とを有する。
【００１９】
磁性体ブロック７、７は、磁性体ブロック７、７および永久磁石２を共通して貫通するピン孔９に非磁性体ピン１０を挿通することにより永久磁石２に固定されている。また、磁性体ブロック７、７には、永久磁石２よりも軸方向に長い延長部分７ａ、７ａが形成されており、この延長部分７ａ、７ａは、後述する把手４の基部４ｃにおける嵌合孔４ａ、４ａにはめ込まれている。
【００２０】
把手４は、円筒状の基部４ｃと、基部４ｃの外面から径方向外側向きに突出して形成されている操作部４ｂとを有し、基部４ｃの端面に形成されている嵌合孔４ａ、４ａには、永久磁石２に取り付けられた状態の磁性体ブロック７、７の延長部分７ａ、７ａがはめ込まれている。この状態の延長部分７ａ、７ａと基部４ｃの外面とに形成した共通の貫通孔１２に非磁性体ピン１０が挿通されることで、把手４と磁性体ブロック７、７とが固定されている。これにより、操作部４ｂを基部４ｃの周方向に回転することで、永久磁石２および磁性体ブロック７、７を一体的に回転させることができる。
【００２１】
把手４の基部４ｃには、上記の貫通孔１２を利用して、操作部４ｂの回動範囲を規制するストッパ４ｓが設けられており、このストッパ４ｓが、後述する支持体３における開口部３ｗの縁に接触することで、操作部４ｂの回動範囲を規制することができる。
【００２２】
なお、このストッパ４ｓは、把手４における左右のどちら側にも取り付けることが可能とされており、これにより、操作部４ｂの回動方向を左側または右側に、適宜に変更することができるので、本実施の形態のマグネット式ドアストッパを、右開きのドアに適用しても、左開きのドアに適用しても、扉が邪魔になって操作部４ｂの操作性が悪くなることを防止することができる。また、操作部４ｂの先端は、正面視してほぼ三角形状に形成されており、これにより、荷物などで使用者の両手が塞がっている場合でも、足先で操作部４ｂを容易に回動させることができ、また、使用者が操作のために体を屈める必要がない。
【００２３】
把手４は、基部４ｃが後述する支持体３の本体部３ｈ内に収容され、かつ、操作部４ｂが本体部３ｈに形成されている開口部３ｗから突出している状態で、支持体３に回動可能に支持されている。
【００２４】
外周磁性体１３、１３は、マグネット式ドアストッパの中心軸３２に対して、例えば、左右対称に配置され、かつ、磁性体ブロック７、７の外面７ｂ、７ｂに接触している状態で配置されている。この外周磁性体１３、１３には、中心軸３２の方向に沿って所定長さの貫通スリット１３ａ、１３ａが形成されており、後述する支持体３における係合突起３１ａ、３１ａがこの貫通スリット１３ａ、１３ａに差し込まれた状態で、外周磁性体１３、１３は支持体３に支持されている。
【００２５】
支持体３は、図１に示すように、縦に二つ割りとされており、一方側の脚部３ａに設けられている丸孔３ｂ、３ｂにボルト３ｃ、３ｃを挿通し、この挿通したボルト３ｃ、３ｃを、他方側の脚部３ａに形成されているネジ孔３ｄ、３ｄにねじ込んで締め付けることで、一体化するようにされている。
【００２６】
支持体３の本体部３ｈは円筒形に形成されており、この本体部３ｈ内に、永久磁石２、磁性体ブロック７、７、外周磁性体１３、１３および把手４の基部４ｃを収容することができる。本体部３ｈの一方側の端面には、外周磁性体１３、１３の断面形状に対応する円弧形状の貫通孔３ｇ、３ｇが形成されており、他方側の外面には開口部３ｗが形成されている。
【００２７】
本体部３ｈの内面３１には、中心軸３２に対して左右対称に係合突起３１ａ、３１ａ（図３、図５参照）が形成されており、外周磁性体１３、１３を支持体３の本体部３ｈ内に収容する際には、係合突起３１ａ、３１ａを外周磁性体１３、１３の貫通スリット１３ａ、１３ａにはめ込みつつ、一方側の脚部３ａと他方側の脚部３ａとを一体化するが、このとき、本体部３ｈに形成されている貫通孔３ｇ、３ｇから外周磁性体１３、１３の端面１３ｂ、１３ｂが突出するようにして、吸着面１３ｃが本体部３ｈから露出するようにする。
【００２８】
永久磁石２と磁性体ブロック７、７とを支持している状態の把手４、および外周磁性体１３、１３を、一方側の脚部３ａと他方側の脚部３ａとにより挟み込んだ状態で、ボルト３ｃ、３ｃにより、一方側の脚部３ａと他方側の脚部３ａとを一体化することで、マグネット式ドアストッパが構成されている。なお、１６は、吸着面１３ｃに対面する位置に配置されている磁性金属板である。また、上記においては、支持体３および把手４は、いずれも非磁性体で形成されているが、磁力に影響を与えない材料としては、例えば硬質プラスチック、セラミックで形成することが好ましい。
【００２９】
本実施の形態のマグネット式ドアストッパが上記のように構成されていることで、把手４により、外周磁性体１３、１３が磁性体ブロック７、７を架橋する位置から架橋しなくなる位置まで、永久磁石２および磁性体ブロック７、７を、外周磁性体１３、１３に対して回動させることができる。
【００３０】
これにより、把手４における操作部４ｂを、図６(ａ)に示すように倒すことで、外周磁性体１３、１３を永久磁石２のＮ極Ｓ極の間に架橋させることができ、これにより、磁力線がそれぞれの外周磁性体１３内を通るようにし、外周磁性体１３の外部に出る磁力線を減少させて、吸着力を弱めることができる。
【００３１】
また、把手４における操作部４ｂを、図６(ｂ)に示すように直立させることで、外周磁性体１３、１３を永久磁石２のＮ極Ｓ極の間に架橋させないようにすることができ、これにより、Ｎ極から出た磁力線が、一方の外周磁性体１３および他方の外周磁性体１３を介してＳ極に入るようにして、吸着力を強めることができる。
【００３２】
なお、外周磁性体１３、１３が磁性体ブロック７、７を架橋する位置と、外周磁性体１３、１３が磁性体ブロック７、７を架橋しない位置との切り替えは、操作部４ｂを９０度回転させるごとに行うことができ、上述したように、把手４の基部４ｃにストッパ４ｓを設け、操作部４ｂを回動させる時に、このストッパ４ｓが支持体３の開口部３ｗにおける縁に接触するようにすることで、操作部４ｂが回動方向に９０度以上回転しないようにし、上記の切り替えを容易に行うことができるようにされている。
【００３３】
次に、上記マグネット式ドアストッパの作動について説明する。このマグネット式ドアストッパは、図７に示すように、支持体３が開いたドア１４の開放位置に、かつ、吸着面１３ｃ、１３ｃがドア１４に設けられている磁性金属板１６に正対するようにして床面１５に固定されている。
【００３４】
開いたドア１４をそのまま保持しようとするときは、把手４の操作部４ｂを、図６(ｂ)に示すように直立させ、磁性体ブロック７、７をそれぞれの外周磁性体１３側に回転移動させて、外周磁性体１３、１３が永久磁石２のＮ極Ｓ極の間に架橋しない状態にし、Ｎ極から出た磁力線が一方の外周磁性体１３および他方の外周磁性体１３を介してＳ極に入るようにすることで吸着力が強める。これにより、開いたドアはマグネット式ドアストッパによりしっかりと吸着固定され、開放状態を強固に維持することができる。
【００３５】
このとき、磁性体ブロック７、７は永久磁石２と接触した状態で固定され、また、磁性体ブロック７、７は外周磁性体１３と接触しているので、永久磁石２の回転時における磨耗を確実に防止し、永久磁石２のめっきが剥がれることを防止することができる。さらに、永久磁石２が磁性体ブロック７、７を介して外周磁性体１３、１３に接触していることで、永久磁石２と外周磁性体１３、１３との間に磁力線が漏洩し得る隙間ができず、永久磁石２と外周磁性体１３、１３とが接触しているのと同等の効果を得ることができるので、吸着力を所定の強さにまで確実に強めることができる。
【００３６】
また、開放状態を解いて、ドア１４を閉める場合は、把手４における操作部４ｂを、図６(ａ)に示すように倒し、外周磁性体１３、１３が永久磁石２のＮ極Ｓ極の間を架橋するようにして、磁力線がそれぞれの外周磁性体１３内を通るようにし、外周磁性体１３の外部に出る磁力線を減少させて吸着力を弱める。そして、ドア１４の開放状態を解く。
【００３７】
このとき、上述したように、磁性体ブロック７、７は永久磁石２と接触した状態で固定され、また、磁性体ブロック７、７は外周磁性体１３と接触しているので、永久磁石２の回転時における磨耗を確実に防止し、永久磁石２のめっきが剥がれることを防止することができる。さらに、永久磁石２が磁性体ブロック７、７を介して外周磁性体１３、１３に接触していることで、永久磁石２と外周磁性体１３、１３との間に磁力線が漏洩し得る隙間ができず、永久磁石２と外周磁性体１３、１３とが接触しているのと同等の効果を得ることができるので、吸着力を十分に弱めることができる。
【００３８】
なお、上記の実施の形態における永久磁石２の形状として角柱状のものを示したが、端面２１にＮＳ極があらわれていれば、図８に示すような円柱状の永久磁石２を用いることもできる。この場合、永久磁石２の外面に接触する磁性体ブロック７、７は、永久磁石２の外面と面接触が可能な湾曲形状とする。また、磁性体ブロック７、７に対する外周磁性体１３、１３が、図９および図１０に示すように、磁性体ブロック７、７周りを回転できるような構成としても良い。
【００３９】
さらに、上記においては、床１５に立設する形式のドアストッパについて説明したが、図１１に示すように、土台部３ｅを支持体３の後端側に設け、壁面（図示は省略）に取り付けるようにすることもできる。この場合、壁面の適当な高さの位置にマグネット式ドアストッパを取り付けることが出来るので、例えば、ドアのノブ近傍の壁面に取り付けると、把手４の操作がより容易となる。なお、図１１に示した形態のものは、土台部３ｅの形状が異なるだけで他の部分の構造は図１〜図７に示したものと同じであるので、同一部分には同一符号を付すことによってその詳細な説明を省略している。
【００４０】
以上、マグネット式ドアストッパについて説明したが、本発明のマグネット式脱着器具は、その構造的特徴により、永久磁石の吸着力を強めたり、弱めたりすることを容易に行えるので、例えば、電気スタンドの脱着器具や物品の止着具としても使用できる。以下においては、その例を説明するが、図１〜図５にて説明したものと同様のものには同じ符号を付すことで、その詳細な説明を省略する。
【００４１】
図１２〜図１５を参照しながら、マグネット式脱着器具としての、各種物品の脱着器具を説明する。
図１２に示すように、脱着器具において、永久磁石２は、その端面２１にＮＳ極があらわれるように配置されており、この永久磁石２のそれぞれの極に対応する外側面２Ｎおよび２Ｓには、磁性体ブロック７、７が固定されている。また、磁性体ブロック７、７の軸方向一端部には、非磁性体よりなるつまみ２０が嵌合されている。そして、この磁性体ブロック７、７は、外周磁性体２２、２２の内面に接触した状態で、この外周磁性体２２、２２に支持されている。
【００４２】
外周磁性体２２、２２には、磁性体ブロック７、７の外面と面接触ができるように、半円溝２２ａ、２２ａが形成されており、この半円溝２２ａ、２２ａに、永久磁石２および磁性体ブロック７、７が嵌り込んでいる状態で、永久磁石２、磁性体ブロック７、７および外周磁性体２２、２２が、ケース２４内に収納されている。なお、二つの外周磁性体２２、２２の間には非磁性体よりなる板状の介在物２３、２３が配置されており、これにより、外周磁性体２２、２２どうしが非接触状態とされている。
【００４３】
つまみ２０により、磁性体ブロック７、７および永久磁石２を回転させ、図１３(ａ)に示すように、それぞれの外周磁性体２２が永久磁石２のＮ極Ｓ極の間を架橋するようにすることで、磁力線がそれぞれの外周磁性体２２内を通るようにし、外周磁性体２２の外部に出る磁力線を減少させて吸着力を弱めることができる。
【００４４】
また、つまみ２０により、磁性体ブロック７、７および永久磁石２を回転させ、図１３(ｂ)に示すように、外周磁性体２２、２２が永久磁石２のＮ極Ｓ極の間に架橋しない状態にし、Ｎ極から出た磁力線が一方の外周磁性体２２および他方の外周磁性体２２を介してＳ極に入るようにすることで吸着力を強めることができる。なお、この場合、吸着面２５は、図１３(ｂ)に示すように外周磁性体２２の側面とされる。
【００４５】
したがって、図示のように、ケース２４の上面２５ｄにソケット３１を設け、例えば、図１４に示すように、電気スタンド３０を取り付ければ、磁性体上であれば、電気スタンド３０の取り付けおよび取り外しを容易に行うことができる。
【００４６】
なお、上記において、ソケット３１に任意の物品を取り付け可能としておけば、電気スタンド３０のほか、図１５に示すように工作物Ｇの表面粗さゲージ３２など、他の工具を適宜に取り付けることも可能となり汎用性が増す。
【００４７】
次に、図１６〜図１８を参照しながら、マグネット式脱着器具としての物品の止着具を説明する。
図１６〜図１８に示すように、物品の止着具は、端面２１にＮＳ極があらわれるようにされた角柱状の永久磁石２と、非磁性体ピン１０により永久磁石２に固定されている一対の磁性体ブロック７、７と、一対の外周磁性体１３、１３と、永久磁石２に固定されている状態の磁性体ブロック７、７を外周磁性体１３、１３に対して回転可能に支持する把手４３と、永久磁石２および磁性体ブロック７、７を支持している把手４３、および外周磁性体１３、１３、を収納するケーシング４０とを有する。
【００４８】
把手４３は、操作部４４と、永久磁石２および磁性体ブロック７、７を回転可能に支持する支持部４５とからなり、支持部４５の一方側の端面には嵌合孔４５ａ、４５ａが形成されており、この嵌合孔４５ａ、４５ａに、磁性体ブロック７、７における延長部分７ａ、７ａがはめ込まれる。また、支持部４５の他方側の端面には、中央に切欠部（図示は省略）を有する外部突起部４５ｂが形成されており、支持部４５がケーシング４０内に収納された状態のときに、この外部突起部４５ｂにおける切欠部に、後述するケーシング４０の開口部４１ｃを通って、操作部４４の先端部４４ａが挿し込まれる。これにより、操作部４４ａを回動させることで、永久磁石２および磁性体ブロック７、７を支持している支持部４５を回転させることができる。
【００４９】
ケーシング４０は、互いに嵌合可能な上部４１と底部４２とを有している。上部４１は、大径部４１ａと小径部４１ｂとからなり、大径部４１ａの外面には、物品を吊り下げるためのフック１９が設けられている。また、小径部４１ｂの外面には、把手４３における操作部４４を回動させるための開口部４１ｃが周方向に形成されている。
【００５０】
一方、底部４２は、円筒部４２ａと底板部４２ｂとからなり、底板部４２ｂには、外周磁性体１３、１３の断面形状に対応した円弧形状の貫通孔４２ｃ、４２ｃが形成されており、円筒部４２ａが外周磁性体１３、１３を保持する際に、この貫通孔４２ｃ、４２ｃから外周磁性体１３、１３の端面１３ｂ、１３ｂを露出させることができる。
【００５１】
ケーシング４０における上部４１と底部４２とは、ボルト４６により互いに固定され、これにより、永久磁石２および磁性体ブロック７、７が回転するときに、外周磁性体１３、１３が共回りしないようにされている。このようにして、物品の止着具が構成されている。
【００５２】
このような構成において、操作部４４を、図１８に示す範囲Ｓだけ回動させることで吸着力を強めたり弱めたりすることができる。これにより、吸着力を強めれば、フック１９に物品を吊り下げることができ、吸着力を弱めれば、物品の止着具を磁性金属板４７より容易に取り外すことができる。
【図面の簡単な説明】
【００５３】
【図１】本発明の実施の形態であるマグネット式脱着器具としてのドアストッパの分解斜視図である。
【図２】図１におけるドアストッパの組立状態を示す側面図である。
【図３】図２のＡ−Ａ線矢視断面図である。
【図４】図３のＢ−Ｂ線矢視部分断面図である。
【図５】図３のＣ−Ｃ線矢視断面図である。
【図６】磁性体ブロックと外周磁性体との相対関係を説明する説明図であって、(ａ)は架橋により吸着力を弱めた場合、(ｂ)は架橋しないことにより吸着力を強めた場合の説明図である。
【図７】本発明におけるマグネット式ドアストッパの使用状態を示す斜視図である。
【図８】マグネット式ドアストッパの他の構成例を示す要部分解斜視図である。
【図９】本発明におけるマグネット式ドアストッパの他の構成例の要部断面図である。
【図１０】図９に示したマグネット式ドアストッパの作動説明図である。
【図１１】本発明におけるマグネット式ドアストッパのさらに他の構成例の斜視図である。
【図１２】マグネット式の物品の脱着器具の分解斜視図である。
【図１３】図１２に示した物品の脱着器具の使用状態を説明する断面図であり、(ａ)は、架橋により吸着力を弱めた場合、(ｂ)は架橋しないことにより吸着力を強めた場合を示す図である。
【図１４】物品の脱着器具に電気スタンドを取り付けた場合の斜視図である。
【図１５】物品の脱着器具に計測器具を取り付けた場合の説明斜視図である。
【図１６】マグネット式の物品の止着具の分解斜視図である。
【図１７】物品の止着具の側面図である。
【図１８】物品の止着具の正面図である。
【図１９】従来のマグネット式ドアストッパの説明図であり（ａ）は、吸着状態、(ｂ)は非吸着状態を示す断面図である。
【図２０】従来のマグネット式ドアストッパの要部の分解斜視図である。
【符号の説明】
【００５４】
２      永久磁石
３      支持体
４      把手
７      磁性体ブロック
７ｂ    外面
１３      外周磁性体
２１      端面
【図１】
2005240389.tif 000003
【図２】
2005240389.tif 000004
【図３】
2005240389.tif 000005
【図４】
2005240389.tif 000006
【図５】
2005240389.tif 000007
【図６】
2005240389.tif 000008
【図７】
2005240389.tif 000009
【図８】
2005240389.tif 000010
【図９】
2005240389.tif 000011
【図１０】
2005240389.tif 000012
【図１１】
2005240389.tif 000013
【図１２】
2005240389.tif 000014
【図１３】
2005240389.tif 000015
【図１４】
2005240389.tif 000016
【図１５】
2005240389.tif 000017
【図１６】
2005240389.tif 000018
【図１７】
2005240389.tif 000019
【図１８】
2005240389.tif 000020
【図１９】
2005240389.tif 000021
【図２０】
2005240389.tif 000022